【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
造影剤インジェクタのための少なくとも１つの注入パラメータを生成する装置であって、
−  患者データ（１６）を受信するための第１データインタフェース（１２）と、
−  造影剤インジェクタ（２８）と接続するための第２データインタフェース（１４）と、
−  前記第１データインタフェース（１２）を介して受信された患者データ（１６）に依存して少なくとも１つの注入パラメータ（１８）を生成するため及び当該注入パラメータ（１８）を前記第２データインタフェース（１４）において出力するためのデータ処理ユニット（２０）とを含むこと
を特徴とする装置。
【請求項２】
前記第１データインタフェース（１２）は、生理学的なパラメータ（１６ａ）を検知するための測定器（２４）と接続されるように構成されており、前記患者データ（１６）は、生理学的なパラメータ（１６ａ）として脈拍及び／又は血圧測定値を含むこと
を特徴とする、請求項１に記載の装置。
【請求項３】
前記第１データインタフェース（１２）は、更なる患者データ（１６ｂ）を呼び出し又は受信するために患者データベース（２６）と接続されるように構成されており、前記更なる患者データ（１６ｂ）は、以前の病気、診断、性別、伸長、体重、年齢、及び／又は肥満度指数を含む患者データ（１６）であること
を特徴とする、請求項１又は２に記載の装置。
【請求項４】
前記第１データインタフェース（１２）及び／又は前記第２データインタフェース（１４）は、無線インタフェースを含むこと
を特徴とする、請求項１〜３のいずれか一項に記載の装置。
【請求項５】
前記少なくとも１つの注入パラメータ（１８）は、造影剤量、及び／又は注入時点、及び／又は注入期間、及び／又は流量、及び／又は造影剤の流れプロフィールのための値を含むこと
を特徴とする、請求項１〜４のいずれか一項に記載の装置。
【請求項６】
該装置（１０）は、コンピュータ断層撮影スキャナ（４０）からデータを受信するために、第３データインタフェース（３８）を含んでおり、該装置（１０）は、画像データを含むこれらのデータを評価するように構成されており、及び／又は、前記第３データインタフェース（３８）は、撮影を実行するために、制御信号を前記コンピュータ断層撮影スキャナ（４０）へ送信するように構成されていること
を特徴とする、請求項１〜５のいずれか一項に記載の装置。
【請求項７】
前記第２データインタフェース（１４）又は第４データインタフェースが、データとして、実行された注入パラメータ（３７）を、前記造影剤インジェクタ（２８）から受信するように構成されていること
を特徴とする、請求項１〜６のいずれか一項に記載の装置。
【請求項８】
前記データ処理ユニット（２０）は、前記データインタフェース（１２、１４、３８）の１つ又は複数を介して取得されたデータ、及び／又は更なるデータインタフェース（４６）を介してデータベース（４８）から受信されたデータに依存し、前記少なくとも１つの注入パラメータ（１８）の生成を、機械的な学習のための手段により適合するように構成されていること
を特徴とする、請求項１〜７のいずれか一項に記載の装置。
【請求項９】
請求項１〜８のいずれか一項に記載の装置（１０）を有するシステムであって、更に、第１データインタフェース（１２）を介して前記装置（１０）と無線で接続可能な又は接続された、生理学的なパラメータ（１６ａ）を検知するための測定器（２４）として、脈拍及び／又は血圧測定器を含むこと
を特徴とするシステム。
【請求項１０】
前記システム（２２）は、更に、第２データインタフェース（１４）を介して接続された造影剤インジェクタ（２８）を含むこと
を特徴とする、請求項９に記載のシステム。
【請求項１１】
前記測定器（２４）は、手首関節及び／又は足首関節における脈拍及び／又は血圧測定のための手首関節及び／又は足首関節用の脈拍及び／又は血圧測定器、及び／又は検温計として、体温計又は体温プローブ、及び／又はオキシメータとして、パルスオキシメータであること
を特徴とする、請求項９又は１０に記載のシステム。
【請求項１２】
請求項１〜８のいずれか一項に記載の装置（１０）又は請求項９〜１１のいずれか一項に記載のシステムを用い、コンピュータ断層撮影スキャナ（４０）を用いた撮影画像を生成する方法であって、以下のステップ、即ち、
−  患者データ（１６）を、第１データインタフェース（１２）を介して検知するステップ、
−  造影剤インジェクタ（２８）のための少なくとも１つの注入パラメータ（１８）を、前記患者データ（１６）に依存し、データ処理ユニット（２０）を用いて生成するステップ、及び、
−  前記注入パラメータ（１８）を、第２データインタフェース（１４）において出力するステップを含むこと
を特徴とする方法。
【請求項１３】
該方法は、以下の更なるステップ、即ち、
−  出力された注入パラメータ（１８）又は変更されて生成されて注入パラメータを用いて造影剤インジェクタ（２８）を制御するステップ、及び／又は、
−  コンピュータ断層撮影スキャナ（４０）からのデータを制御及び／又は受信するステップを含むこと
を特徴とする、請求項１２に記載の方法。
【請求項１４】
コンピュータ断層撮影スキャナ（４０）から受信されるデータは、画像としてコンピュータ断層撮影情報を含んでおり、当該コンピュータ断層撮影情報は、画像処理ソフトウェアを用いて評価され、少なくとも当該評価は、実行された注入パラメータ（１８）と共に記憶され、当該記憶は、ネットワーク又はインターネット接続を介してアクセスされる患者データベース又は記録システムであるデータベース（４８）において行われること
を特徴とする、請求項１３に記載の方法。
【請求項１５】
注入パラメータ（１８）の生成は、患者データ（１６）に依存し且つ以前に記憶された少なくとも１つの評価内容に依存して行われること
を特徴とする、請求項１２〜１４のいずれか一項に記載の方法。
【請求項１６】
造影剤インジェクタ（２８）の生成された注入パラメータ（１８）は、表示部（３４）において表示され、当該生成された注入パラメータ（１８）は、利用者インタフェース（３６）を介して変更可能であること
を特徴とする、請求項１２〜１５のいずれか一項に記載の方法。
【請求項１７】
患者データ（１６）の検知は、測定器（２４）から生理学的なパラメータ（１６ａ）を呼び出すこと、及び測定器（２４）から前記装置（１０）へ生理学的なパラメータ（１６ａ）を伝送することを含むこと
を特徴とする、請求項１２〜１６のいずれか一項に記載の方法。
【請求項１８】
患者データ（１６）の検知は、処置すべき患者のデータを患者データベース（２６）から呼び出すために、更なる患者データ（１６ｂ）を有する患者データベース（２６）へのアクセスを含むこと
を特徴とする、請求項１２〜１７のいずれか一項に記載の方法。
【手続補正２】
【補正対象書類名】明細書
【補正対象項目名】０００８
【補正方法】変更
【補正の内容】
【０００８】
本発明の第１の視点により、造影剤インジェクタのための少なくとも１つの注入パラメータを生成する装置が提供される。該装置は、
−  患者データを受信するための第１データインタフェースと、
−  造影剤インジェクタと接続するための第２データインタフェースと、
−  前記第１データインタフェースを介して受信された患者データに依存して少なくとも１つの注入パラメータを生成するため及び当該注入パラメータを前記第２データインタフェースにおいて出力するためのデータ処理ユニットとを含むことを特徴とする（形態１・第１基本構成）。
即ち、前記第１の視点において、
造影剤インジェクタのための少なくとも１つの注入パラメータを生成する装置であって、
−  患者データを受信するための第１データインタフェースと、
−  造影剤インジェクタと接続するための第２データインタフェースと、
−  前記第１データインタフェースを介して受信された患者データに依存して少なくとも１つの注入パラメータを生成するため及び当該注入パラメータを前記第２データインタフェースにおいて出力するためのデータ処理ユニットとを含むこと
を特徴とする。
本発明の第２の視点により、本発明の装置を有するシステムが提供される。該システムは、更に、第１データインタフェースを介して前記装置と特に無線で接続可能な又は接続された、特に生理学的なパラメータを検知するための測定器、例えば、脈拍及び／又は血圧測定器を含むことを特徴とする（形態９・第２基本構成）。
即ち、前記第２の視点において、
前記第１の視点に記載の装置を有するシステムであって、更に、第１データインタフェースを介して前記装置と無線で接続可能な又は接続された、生理学的なパラメータを検知するための測定器として、脈拍及び／又は血圧測定器を含むこと
を特徴とする。
本発明の第３の視点により、特に本発明の装置又は本発明のシステムを用い、コンピュータ断層撮影スキャナを用いた撮影画像を生成する方法が提供される。該方法は、以下のステップ、即ち、
−  患者データを、第１データインタフェースを介して検知するステップ、
−  造影剤インジェクタのための少なくとも１つの注入パラメータを、前記患者データに依存し、データ処理ユニットを用いて生成するステップ、及び、
−  前記注入パラメータを、第２データインタフェースにおいて出力するステップを含むことを特徴とする（形態１２・第３基本構成）。
即ち、前記第３の視点において、
前記第１の視点に記載の装置又は前記第２の視点に記載のシステムを用い、コンピュータ断層撮影スキャナを用いた撮影画像を生成する方法であって、以下のステップ、即ち、
−  患者データを、第１データインタフェースを介して検知するステップ、
−  造影剤インジェクタのための少なくとも１つの注入パラメータを、前記患者データに依存し、データ処理ユニットを用いて生成するステップ、及び、
−  前記注入パラメータを、第２データインタフェースにおいて出力するステップを含むこと
を特徴とする。